(57)【要約】【課題】ＩＴ電話通話と既存電話通話の使い分けを容易にする。【解決手段】ＩＴ電話回線１０２と既存電話回線１０３とを切替えて電話機１０４に接続するＩＴ電話アダプタ１０１において、電話機に接続され、メイク側がＩＴ電話回線に接続され、ブレーク側が既存電話回線に接続されるリレー１０５と、リレーをメイク側に倒した状態で、発信・着信時のダイヤル信号を解析して、電話機とＩＴ電話回線の間の発信・着信と、電話機と既存電話回線との間の発信・着信を識別する音声信号処理部１０９と、音声処理部で電話機とＩＴ電話回線の間の発信・着信と識別した場合、リレーをメイク側に倒した状態で、電話機とＩＴ電話回線の通話を制御し；音声処理部で電話機と既存電話回線との間の発信・着信と識別した場合、リレーをドレーン側に倒した状態で、電話機と既存電話回線との間の通話を制御する制御部１１１とを備える。【選択図】  図１
2004350063.tif 000002
【特許請求の範囲】
【請求項１】
インターネット電話回線と既存電話回線とを切替えて電話機に接続するインターネット電話アダプタにおいて、
前記電話機に接続され、メイク側が前記インターネット電話回線に接続され、ブレーク側が前記既存電話回線に接続されるリレーと、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する音声信号処理部と、
前記音声処理部で前記電話機と前記インターネット電話回線の間の発信・着信と識別した場合、前記リレーをメイク側に倒した状態で、前記電話機と前記インターネット電話回線の通話を制御し；前記音声処理部で前記電話機と前記既存電話回線との間の発信・着信と識別した場合、前記リレーをドレーン側に倒した状態で、前記電話機と前記既存電話回線との間の通話を制御する制御部とを備えることを特徴とするインターネット電話アダプタ。
【請求項２】
前記制御部にインターネット電話アダプタの電力喪失を検出する電力検出部を設け、前記電力検出部が電力喪失を検出した場合には、前記制御部は、前記リレーをドレーン側に倒した状態にし、前記電話機と前記既存電話回線との間の通話を制御することを特徴とする、請求項１に記載のインターネット電話アダプタ。
【請求項３】
前記音声信号処理部は話中音を送信する機能を有し、前記制御部は、前記電話機と前記既存電話回線との間の通話中に、前記インターネット電話回線から着信がある場合、前記音声信号処理部から前記インターネット電話回線に話中音を送信する制御を行うことを特徴とする、請求項１に記載のインターネット電話アダプタ。
【請求項４】
前記制御部は、前記音声信号処理部で前記既存電話回線からの着信時に認識された呼出信号から前記インターネット電話回線の着信を検出する機能を有し、前記電話機と前記インターネット電話回線の間の通話中に、前記既存電話回線から着信がある場合、前記既存電話回線の着信検出時に前記電話機の通話に着信音の割り込みを行い；前記電話機からフッキング信号を検出した場合、前記リレーをブレーク側に倒し、前記インターネット電話回線との通話を保留にし、前記既存電話回線と通話を行い；前記既存電話回線との通話が終了した場合、前記リレーをメイク側に倒し、前記インターネット電話回線との通話を再開する制御を行うことを特徴とする、請求項１に記載のインターネット電話アダプタ。
【請求項５】
前記制御部は、前記音声信号処理部で前記既存電話回線からの着信時に認識された発信者番号データを前記電話機のナンバーディスプレイに表示させる機能を有し、前記既存電話回線の着信検出時に前記電話機の通話に着信音の割り込みを行うと同時に、前記電話機のナンバーディスプレイに着信時に認識された発信者番号データを表示する制御を行うことを特徴とする、請求項４に記載のインターネット電話アダプタ。
【請求項６】
前記制御部は、前記電話機からフッキング信号を検出した場合、前記リレーをブレーク側に倒し、前記インターネット電話回線との通話を保留にし、前記既存電話回線と通話を行う状態と前記電話機からフッキング信号を検出した場合、前記リレーをメイク側に倒し、前記既存電話回線との通話を保留にし前記インターネット電話回線との通話を行う状態とをトグルで切替えることを特徴とする、請求項４に記載のインターネット電話アダプタ。
【請求項７】
前記制御部は、前記電話機のフッキング信号の他に、前記電話機のダイヤルインパルス、ＰＢ信号を含む信号で前記リレーのブレーク側又はメイク側に倒す制御を行うことを特徴とする、請求項４又は請求項６に記載のインターネット電話アダプタ。
【請求項８】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程とを備えることを特徴とするインターネット電話アダプタの通話切替方法。
【請求項９】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程と、
前記インターネット電話アダプタの電力喪失を検出した場合には前記リレーをドレーン側に倒した状態にし、前記電話機と前記既存電話回線との間の通話を制御する工程とを備えることを特徴とするインターネット電話アダプタの通話切替方法。
【請求項１０】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程と、
前記インターネット電話アダプタの電力喪失を検出した場合には前記リレーをドレーン側に倒した状態にし、前記電話機と前記既存電話回線との間の通話を制御する工程と、
前記電話機と前記既存電話回線との間の通話中に、前記インターネット電話回線から着信がある場合、前記インターネット電話回線に話中音を送信する制御を行う工程とを備えることを特徴とするインターネット電話アダプタの通話切替方法。
【請求項１１】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程と、
前記インターネット電話アダプタの電力喪失を検出した場合には前記リレーをドレーン側に倒した状態にし、前記電話機と前記既存電話回線との間の通話を制御する工程と、
前記電話機と前記既存電話回線との間の通話中に、前記インターネット電話回線から着信がある場合、前記インターネット電話回線に話中音を送信する制御を行う工程と、
前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を制御する工程と、
前記既存電話回線との通話が終了した場合、前記リレーをメイク側に倒し、前記インターネット電話回線との通話を再開する制御を行う工程とを備えることを特徴とするインターネット電話アダプタの通話切替方法。
【請求項１２】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程と、
前記インターネット電話アダプタの電力喪失を検出した場合には前記リレーをドレーン側に倒した状態にし、前記電話機と前記既存電話回線との間の通話を制御する工程と、
前記電話機と前記既存電話回線との間の通話中に、前記インターネット電話回線から着信がある場合、前記インターネット電話回線に話中音を送信する制御を行う工程と、
前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を制御する工程と、
前記既存電話回線との通話が終了した場合、前記リレーをメイク側に倒し、前記インターネット電話回線との通話を再開する制御を行う工程と、
前記既存電話回線の着信検出時に前記電話機の通話に着信音の割り込みを行うと同時に、前記電話機のナンバーディスプレイに着信時に認識された発信者番号データを表示する制御を行う工程とを備えることを特徴とするインターネット電話アダプタの通話切替方法。
【請求項１３】
インターネット電話回線と既存電話回線とを切替えて電話機に接続するインターネット電話アダプタの通話切替方法において、
前記電話機にリレーを接続する工程と、
前記リレーのメイク側を前記インターネット電話回線に接続する工程と、
前記リレーのブレーク側を前記既存電話回線に接続する工程と、
前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、
前記電話機と前記インターネット電話回線の間の発信・着信と識別した場合、前記リレーをメイク側に倒した状態で、前記電話機と前記インターネット電話回線の通話を制御する工程と、
前記電話機と前記既存電話回線との間の発信・着信と識別した場合、前記リレーをドレーン側に倒した状態で、前記電話機と前記既存電話回線との間の通話を制御する工程と、
前記インターネット電話アダプタの電力喪失を検出した場合には前記リレーをドレーン側に倒した状態にし、前記電話機と前記既存電話回線との間の通話を制御する工程と、
前記電話機と前記既存電話回線との間の通話中に、前記インターネット電話回線から着信がある場合、前記インターネット電話回線に話中音を送信する制御を行う工程と、
前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を行う工程と、
前記既存電話回線との通話が終了した場合、前記リレーをメイク側に倒し、前記インターネット電話回線との通話を再開する制御を行う工程と、
前記既存電話回線の着信検出時に前記電話機の通話に着信音の割り込みを行うと同時に、前記電話機のナンバーディスプレイに着信時に認識された発信者番号データを表示する制御を行う工程と、
前記電話機からフッキング信号を検出した場合、前記リレーをブレーク側に倒し、前記インターネット電話回線との通話を保留にし、前記既存電話回線と通話を行う状態と前記電話機からフッキング信号を検出した場合、前記リレーをメイク側に倒し、前記既存電話回線との通話を保留にし前記インターネット電話回線との通話を行う状態とをトグルで切替える制御を行う工程とを備えることを特徴とするインターネット電話アダプタ及びその通話切替方法。
【発明の詳細な説明】
【０００１】
【発明が属する技術分野】
本発明はインターネット電話通話と既存電話通話を切替えるインターネット電話アダプタに関する。特に、本発明は、使用状況に応じてインターネット電話通話と既存電話通話の使い分けを容易にし種々のサービスの付加を可能にする通話切替方法に関する。
【０００２】
【従来の技術】
従来の電話機に接続されたインターネット電話アダプタでは、インターネット電話が利用できないとき、公衆回線に切り替えて通常の電話として電話をかけることができるようにしている（特許文献１）。
近年、インターネット電話の普及には目覚しいものがあり、通話料が既存電話に比べ格段に安く、特に遠距離通話でも安価であるという長所がある。
【０００３】
他方、既存の電話には、通話中に着信があった場合、音声に割り込んで着信音を入れるサービス、発信者番号等を表示させるナンバーディスプレイサ―ビス、キャッチホンサービス等を含む優れた長所がある。
【０００４】
【特許文献１】
特開２００１−２５７７９７（段落００１９、図１〜図３）
【０００５】
【発明が解決しようとする課題】
ところで、一般にインターネット電話は通話時間に関係のない通話あたりの定額制であり、既存の電話は時間あたり課金されるので、インターネット電話と既存の電話とが同時に使用可能な場合、インターネット電話の長所を生かしてインターネット電話を優先してかけたいという課題がある。
【０００６】
さらに、停電時にはインターネット電話が使用できないので、既存の電話で１００番、１１９番等の緊急番号の通話を確保したいという課題がある。
さらに、インターネット電話通話中に既存の電話の着信があった場合、既存の電話の通話に切替えるとき、既存の電話同士の切替えと同様の種々の優れたサービス機能を確保したいという課題がある。
【０００７】
したがって、本発明は上記問題点に鑑みて、使用状況に応じてインターネット電話通話と既存電話通話の使い分けを容易にし種々のサービスの付加を可能にするインターネット電話アダプタ及びその通話切替方法を提供することを目的とする。
【０００８】
【課題を解決するための手段】
本発明は前記問題点を解決するために、インターネット電話回線と既存電話回線とを切替えて電話機に接続するインターネット電話アダプタにおいて、前記電話機に接続され、メイク側が前記インターネット電話回線に接続され、ブレーク側が前記既存電話回線に接続されるリレーと、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する音声信号処理部と、前記音声処理部で前記電話機と前記インターネット電話回線の間の発信・着信と識別した場合、前記リレーをメイク側に倒した状態で、前記電話機と前記インターネット電話回線の通話を制御し；前記音声処理部で前記電話機と前記既存電話回線との間の発信・着信と識別した場合、前記リレーをドレーン側に倒した状態で、前記電話機と前記既存電話回線との間の通話を制御する制御部とを備えることを特徴とするインターネット電話アダプタを提供する。
【０００９】
この手段により、インターネット電話と既存の電話とが同時に使用可能な場合、インターネット電話の長所を生かしてインターネット電話を優先してかけることが可能になる。
さらに、前記制御部にインターネット電話アダプタの電力喪失を検出する電力検出部を設け、前記電力検出部が電力喪失を検出した場合には、前記制御部は、前記リレーをドレーン側に倒した状態にし、前記電話機と前記既存電話回線との間の通話を制御する。
【００１０】
この手段により、停電時等にはインターネット電話が使用できないので、既存の電話で１００番、１１９番等の緊急番号の通話を確保することが可能になる。さらに、前記音声信号処理部は話中音を送信する機能を有し、前記制御部は、前記電話機と前記既存電話回線との間の通話中に、前記インターネット電話回線から着信がある場合、前記音声信号処理部から前記インターネット電話回線に話中音を送信する制御を行う。
【００１１】
この手段により、電話機が既存電話通話中に、インターネット電話通話の着信がある場合に、インターネット電話通話の着信に対して話中の応答が可能になる。
さらに、前記制御部は、前記音声信号処理部で前記既存電話回線からの着信時に認識された呼出信号から前記インターネット電話回線の着信を検出する機能を有し、前記電話機と前記インターネット電話回線の間の通話中に、前記既存電話回線から着信がある場合、前記既存電話回線の着信検出時に前記電話機の通話に着信音の割り込みを行い；前記電話機からフッキング信号を検出した場合、前記リレーをブレーク側に倒し、前記インターネット電話回線との通話を保留にし、前記既存電話回線と通話を行い；前記既存電話回線との通話が終了した場合、前記リレーをメイク側に倒し、前記インターネット電話回線との通話を再開する制御を行う。
【００１２】
この手段により、インターネット電話通話を一旦保留して既存電話通話に応答することにより、インターネット電話と既存電話とのキャッチホンサービスと同様の通話切替え機能を提供することが可能になる。
さらに、前記制御部は、前記音声信号処理部で前記既存電話回線からの着信時に認識された発信者番号データを前記電話機のナンバーディスプレイに表示させる機能を有し、前記既存電話回線の着信検出時に前記電話機の通話に着信音の割り込みを行うと同時に、前記電話機のナンバーディスプレイに着信時に認識された発信者番号データを表示する制御を行う。
【００１３】
この手段により、電話機では、インターネット電話通話をしながら既存電話の発信者番号を知ることができ、フッキング信号によりインターネット電話通話から既存電話通話に切替えるべきか否かの判断材料とすることができる。
さらに、前記制御部は、前記電話機からフッキング信号を検出した場合、前記リレーをブレーク側に倒し、前記インターネット電話回線との通話を保留にし、前記既存電話回線と通話を行う状態と前記電話機からフッキング信号を検出した場合、前記リレーをメイク側に倒し、前記既存電話回線との通話を保留にし前記インターネット電話回線との通話を行う状態とをトグルで切替える。
【００１４】
この手段により、３者通話の切替え機能が向上する。
好ましくは、前記制御部は、前記電話機のフッキング信号の他に、前記電話機のダイヤルインパルス、ＰＢ信号を含む信号で前記リレーのブレーク側又はメイク側に倒す制御を行う。
この手段により、電話機の簡単な操作により切替が可能になる。
【００１５】
さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程とを備えることを特徴とするインターネット電話アダプタの通話切替方法を提供する。
【００１６】
この手段により、インターネット電話と既存の電話とが同時に使用可能な場合、インターネット電話の長所を生かしてインターネット電話を優先してかけることが可能になる。
さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程と、前記インターネット電話アダプタの電力喪失を検出した場合には前記リレーをドレーン側に倒した状態にし、前記電話機と前記既存電話回線との間の通話を制御する工程とを備えることを特徴とするインターネット電話アダプタの通話切替方法を提供する。
【００１７】
この手段により、さらに、停電時等にはインターネット電話が使用できないので、既存の電話で１００番、１１９番等の緊急番号の通話を確保することが可能になる。
さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程と、前記インターネット電話アダプタの電力喪失を検出した場合には前記リレーをドレーン側に倒した状態にし、前記電話機と前記既存電話回線との間の通話を制御する工程と、前記電話機と前記既存電話回線との間の通話中に、前記インターネット電話回線から着信がある場合、前記インターネット電話回線に話中音を送信する制御を行う工程とを備えることを特徴とするインターネット電話アダプタの通話切替方法を提供する。
【００１８】
この手段により、さらに、電話機が既存電話通話中に、インターネット電話通話の着信がある場合に、インターネット電話通話の着信に対して話中の応答が可能になる。
さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程と、前記インターネット電話アダプタの電力喪失を検出した場合には前記リレーをドレーン側に倒した状態にし、前記電話機と前記既存電話回線との間の通話を制御する工程と、前記電話機と前記既存電話回線との間の通話中に、前記インターネット電話回線から着信がある場合、前記インターネット電話回線に話中音を送信する制御を行う工程と、前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を制御する工程と、前記既存電話回線との通話が終了した場合、前記リレーをメイク側に倒し、前記インターネット電話回線との通話を再開する制御を行う工程とを備えることを特徴とするインターネット電話アダプタの通話切替方法を提供する。
【００１９】
この手段により、さらに、インターネット電話通話を一旦保留して既存電話通話に応答することにより、インターネット電話と既存電話とのキャッチホンサービスと同様の通話切替え機能を提供することが可能になる。
さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程と、前記インターネット電話アダプタの電力喪失を検出した場合には前記リレーをドレーン側に倒した状態にし、前記電話機と前記既存電話回線との間の通話を制御する工程と、前記電話機と前記既存電話回線との間の通話中に、前記インターネット電話回線から着信がある場合、前記インターネット電話回線に話中音を送信する制御を行う工程と、前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を制御する工程と、前記既存電話回線との通話が終了した場合、前記リレーをメイク側に倒し、前記インターネット電話回線との通話を再開する制御を行う工程と、前記既存電話回線の着信検出時に前記電話機の通話に着信音の割り込みを行うと同時に、前記電話機のナンバーディスプレイに着信時に認識された発信者番号データを表示する制御を行う工程とを備えることを特徴とするインターネット電話アダプタの通話切替方法を提供する。
【００２０】
この手段により、さらに、電話機では、インターネット電話通話をしながら既存電話の発信者番号を知ることができ、フッキング信号によりインターネット電話通話から既存電話通話に切替えるべきか否かの判断材料とすることができる。さらに、本発明は、インターネット電話回線と既存電話回線とを切替えて電話機に接続するインターネット電話アダプタの通話切替方法において、前記電話機にリレーを接続する工程と、前記リレーのメイク側を前記インターネット電話回線に接続する工程と、前記リレーのブレーク側を前記既存電話回線に接続する工程と、前記リレーをメイク側に倒した状態で、発信・着信時のダイヤル信号を解析して、前記電話機と前記インターネット電話回線の間の発信・着信と、前記電話機と前記既存電話回線との間の発信・着信を識別する工程と、前記電話機と前記インターネット電話回線の間の発信・着信と識別した場合、前記リレーをメイク側に倒した状態で、前記電話機と前記インターネット電話回線の通話を制御する工程と、前記電話機と前記既存電話回線との間の発信・着信と識別した場合、前記リレーをドレーン側に倒した状態で、前記電話機と前記既存電話回線との間の通話を制御する工程と、前記インターネット電話アダプタの電力喪失を検出した場合には前記リレーをドレーン側に倒した状態にし、前記電話機と前記既存電話回線との間の通話を制御する工程と、前記電話機と前記既存電話回線との間の通話中に、前記インターネット電話回線から着信がある場合、前記インターネット電話回線に話中音を送信する制御を行う工程と、前記電話機と前記インターネット電話回線の間の通話中に、前記既存電話回線から着信がある場合、前記既存電話回線の着信検出時に前記電話機の通話に着信音の割り込みを行い、前記電話機からフッキング信号を検出した場合、前記リレーをブレーク側に倒し、前記インターネット電話回線との通話を保留にし、前記既存電話回線と通話を行う工程と、前記既存電話回線との通話が終了した場合、前記リレーをメイク側に倒し、前記インターネット電話回線との通話を再開する制御を行う工程と、前記既存電話回線の着信検出時に前記電話機の通話に着信音の割り込みを行うと同時に、前記電話機のナンバーディスプレイに着信時に認識された発信者番号データを表示する制御を行う工程と、前記電話機からフッキング信号を検出した場合、前記リレーをブレーク側に倒し、前記インターネット電話回線との通話を保留にし、前記既存電話回線と通話を行う状態と前記電話機からフッキング信号を検出した場合、前記リレーをメイク側に倒し、前記既存電話回線との通話を保留にし前記インターネット電話回線との通話を行う状態とをトグルで切替える制御を行う工程とを備えることを特徴とするインターネット電話アダプタ及びその通話切替方法を提供する。
この手段により、さらに、３者通話の切替え機能が向上する。
【００２１】
【発明の実施の形態】
以下、本発明の実施の形態について図面を参照して説明する。
図１は本発明に係るインターネット電話アダプタの概略構成を示す図である。本図に示すように、インターネット電話アダプタ１０１にはインターネット（ＩＴ）電話回線１０２、既存電話回線１０３、電話機１０４が接続される。
【００２２】
インターネット電話アダプタ１０１では０５０番で始まるインターネット電話通話と、従来の０３番等の３００Ｈｚから３．４ｋＨｚの音声帯域を使用する既存電話通話とを使い分ける機能を有する。
インターネット電話アダプタ１０１にはリレー１０５が設けられ、リレー１０５は電話機１０４に接続され、メイクｍ、ブレークｂを有する。
【００２３】
リレー１０５のブレークｂと既存電話回線１０３とが接続される。
さらに、インターネット電話アダプタ１０１にはインターネット（ＩＴ）電話回線インタフェース１０６が設けられ、インターネット電話回線インタフェース１０６はインターネット電話回線１０２に接続され、その入出力装置である。
さらに、インターネット電話アダプタ１０１には電話回線インタフェース１０７が設けられ、電話回線インタフェース１０７は既存電話回線１０３とリレー１０５とのブレークｂの双方に接続され、既存電話回線１０３の入出力装置である。
【００２４】
さらに、インターネット電話アダプタ１０１には電話機インタフェース１０８が設けられ、電話機インタフェース１０８はリレー１０５のメイクｍに接続される電話機１０４の入出力装置である。
さらに、インターネット電話アダプタ１０１には音声信号処理部１０９が設けられ、音声信号処理部１０９にはインターネット電話回線インタフェース１０６、電話回線インタフェース１０７、電話機インタフェース１０８が接続される。
【００２５】
音声信号処理部１０９は、電話機１０４から電話機インタフェース１０８、インターネット電話回線インタフェース１０６を介してインターネット電話回線１０２に発信する場合、逆に着信する場合、電話機インタフェース１０８、インターネット電話回線インタフェース１０６で受信したダイヤル信号を解析し、０５０番で始まるインターネット電話の発信番号、着信番号であると認識する。
【００２６】
音声信号処理部１０９は、電話機１０４から電話機インタフェース１０８、電話回線インタフェース１０７を介して、既存電話回線１０３に発信する場合、逆に着信する場合、電話機インタフェース１０８電話回線インタフェース１０７で受信したダイヤル信号を解析し、０３番等で始まる既存電話回線１０３の発信番号、着信番号であると認識する。
【００２７】
このように、電話機１０４からの発信時に、音声信号処理部１０９により、インターネット電話回線１０２への発信又は既存電話回線１０３への発信が識別され、電話機１０４からの着信に、音声信号処理部１０９により、インターネット電話回線１０２からの着信又は既存電話回線１０３からの着信が識別される。
さらに、音声信号処理部１０９は、インターネット電話回線１０２、既存電話回線１０３から着信がある場合、インターネット電話回線インタフェース１０６、電話回線インタフェース１０７で受信した着信信号を解析し、インターネット電話回線１０２、既存電話回線１０３からの呼出信号を認識する。
【００２８】
さらに、音声信号処理部１０９は、既存電話回線１０３から着信がある場合、電話回線インタフェース１０７で受信した着信信号を解析し、発信者番号データを認識する。
さらに、音声信号処理部１０９はインターネット電話回線１０２に対して話中音を送信することができる。
【００２９】
音声信号処理部１０９には記憶部１１０が接続され、記憶部１１０は音声信号処理部１０９で認識した発信者番号データを保存する。
さらに、インターネット電話アダプタ１０１には制御部１１１が設けられ、制御部１１１は、インターネット電話アダプタ１０１の全体の制御を行い、特に、音声信号処理部１０９の情報に基づいて、インターネット電話回線インタフェース１０６、電話回線インタフェース１０７、電話機インタフェース１０８の制御を行い、さらに、リレー１０５の切替の制御を行う。
【００３０】
制御部１１１には電力検出部１２１と、着信検出部１２２が設けられ、電力検出部１２１はインターネット電話アダプタ１０１への電力喪失状態を検出し、着信検出部１２２は、音声信号処理部１０９により認識される呼出信号に基づいて既存電話回線１０３からの着信を検出し、着信時に電話機１０４を鳴動させる。
【００３１】
図２は、第１の使い分け例で、インターネット電話通話時のリレー１０５の動作を説明する図である。
インターネット電話アダプタ１０１の電源が投入されている場合、リレー１０５をメイクｍ側に倒し、電話機１０４は、リレー１０５のメイクｍ、電話機インタフェース１０８、インターネット電話回線インタフェース１０６を介して、インターネット電話回線１０２と通信でき、０５０番で始まる発信、着信、通話を行うことが可能になる。
【００３２】
具体的には、電話機１０４からインターネット電話回線１０２に発信する場合、電話機インタフェース１０８で受信したダイヤル番号は、音声信号処理部１０９で解析され、０５０番で始まるインターネット電話の発信番号であると認識される。
この認識に基づき、制御部１１１ではインターネット電話回線インタフェース１０６を介してインターネット電話回線１０２に対する発信、通話の制御を行う。
【００３３】
次に、インターネット電話回線１０２から着信があった場合、音声信号処理部１０９で着信を解析し、０５０番で始まるインターネット電話の発信番号であると認識される。この解析に基づいて制御部１１１では電話機インタフェース１０８からリレー１０５のメイクｍを介して電話機１０４に呼出信号を送出して電話機１０４を鳴動させ、電話機１０４で応答して通話するように制御を行う。
【００３４】
図３は、第２の使い分け例で、既存電話通話時のリレー１０５の動作を説明する図である。
本図に示すように、リレー１０５をメイクｍに倒し、電話機１０４は、リレー１０５、電話機インタフェース１０８、電話回線インタフェース１０７を介して、既存電話回線１０３と通信でき、０３番等で始まる発信、着信、通話を行うことが可能になる。
【００３５】
図３（ａ）に示すように、具体的には、電話機１０４から既存電話回線１０３に発信する場合、電話機インタフェース１０８で受信したダイヤル番号は、音声信号処理部１０９で解析され、０３番等で始まる既存電話に発信する発信番号であると認識される。
この認識に基づき、制御部１１１では電話回線インタフェース１０７を介して既存電話回線１０３に対しダイヤル番号を送出して発信の制御を行う。
【００３６】
制御部１１１では、電話回線インタフェース１０７を介して既存電話回線１０３の発信相手の応答を検出した場合、直ちにリレー１０５をブレークｂ側に倒し、電話機１０４はリレー１０５を介して直接既存電話回線１０３と通話を行い、通話が終了すると、リレー１０５を再びメイクｍ側に倒し、元に戻す制御を行う。
【００３７】
さらに、図３（ｂ）に示すように、インターネット電話回線１０２が使用できる状態かつ電話機１０４がインターネット電話通話中でない場合、既存電話回線１０３から着信があった場合、電話回線インタフェース１０７を介して制御部１１１の着信検出部１２２は呼出信号を検出する。
制御部１１１では、着信検出部１２２の呼び出し信号の検出により、リレー１０５をブレークｂ側に倒すことにより、電話機１０４を、リレー１０５を介して、直接既存電話回線１０３に接続し、電話機１０４を呼出信号により鳴動させ、応答、通話の制御を行う。
【００３８】
したがって、本発明によれば、インターネット電話と既存の電話とが同時に使用可能な場合、インターネット電話の長所を生かしてインターネット電話を優先してかけることが可能になる。
図４は、第３の使い分け例で、インターネット電話アダプタ１０１の電力喪失時におけるリレー１０５の切替動作を説明する図である。
【００３９】
インターネット電話アダプタ１０１の制御部１１１は、インターネット電話アダプタ１０１が通電され、電力検出部１２１が電力喪失を検出しない場合、リレー１０５をメイクｍに倒すが、電力検出部１２１が電力喪失を検出すると、本図に示すように、リレー１０５をブレイクｂに倒す。
インターネット電話アダプタ１０１は停電時、電源オフ時、電池駆動で電池を使い切ってしまった場合、万一の停電時に備えて電池を内蔵していたが電池が切れて停電になった場合には、インターネット電話アダプタ１０１は電力を喪失し、その機能も喪失する。
【００４０】
したがって、本発明によれば、インターネット電話アダプタ１０１が電力喪失した場合、１１０番、１１９番等の緊急番号を使用することができなくなるため、リレー１０５をブレイクｂに倒して、最低限、電話機１０４と電話回線１０３の接続を確保可能にする。
次に、電話機１０４がインターネット電話通話中又は既存電話通話中にもう一方の回線から着信があった場合を考慮する必要がある。
【００４１】
図５は、第４の使い分け例で、既存電話通話中にインターネット電話回線１０２からの着信があった場合の制御部１１１の動作を説明する図である。
本図に示すように、電話機１０４が既存電話回線１０３と通話しているときに、リレー１０５は、前述のように、ブレークｂに倒れている。
この場合、インターネット電話回線１０２からの着信があった場合、音声信号処理部１０９で着信を解析し、０５０番で始まるインターネット電話の発信番号であると認識される。この解析に基づいて制御部１１１ではリレー１０５をメイクｍに切替えることができないと知っているため、音声信号処理部１０９から話中音をインターネット電話回線１０２に送信させる。
【００４２】
したがって、本発明によれば、電話機１０４が既存電話通話中にインタフェース電話通話の着信がある場合に、インターネット電話通話の着信に対して話中の応答が可能になる。
図６は、第５の使い分け例で、インターネット電話通話中に既存電話回線１０３からの着信があった場合の制御部１１１の動作を説明する図である。
【００４３】
本図に示すように、インターネット電話通話中に既存電話回線１０３からの着信があった場合、電話回線インタフェース１０７を介して着信検出部１２２で呼び出し音が検出され、制御部１１１では既存電話回線１０３からの着信を知ることができるが、電話回線インタフェース１０７で一旦応答しないことには既存電話回線１０３に対して話中音を出すことができない。この場合の話中音は音声信号処理部１０９から送信される。
【００４４】
このような応答を行っても、既存電話回線１０３の発信者は課金された上で通話ができないという問題が生じる。
以下に、この問題を解決するための制御部１１１の動作例を説明する。
図７はインターネット電話通話中に既存電話通話の着信があった場合の制御部１１１の動作例を説明するフローチャートである。
【００４５】
ステップＳ２０１において、インターネット電話通話中に電話回線インタフェース１０７に既存電話通話が着信する。
ステップＳ２０２において、制御部１１１の着信検出部１２２で電話回線インタフェース１０７の着信を検出する。
ステップＳ２０３において、制御部１１１では既存電話回線１０３から着信があったことを電話機１０４のインターネット電話通話に割り込んで着信音の送信を行う。
【００４６】
ステップＳ２０４において、制御部１１１では電話機１０４から電話機インタフェース１０８へのフッキング信号の送信を検出したか否かを判断する。検出した場合、ステップＳ２０６に進む。
ステップＳ２０５において、制御部１１１では、フッキング信号の送信を検出しなかった場合、既存電話着信呼を放棄したと判断して処理を終了する。電話機１０４では着信呼を放棄するまで既存電話回線１０３からの着信に応答せずインターネット電話通話を継続するとしたためである。
【００４７】
ステップＳ２０６において、フッキング信号の送信を検出した場合、制御部１１１ではリレー１０５をブレークｂ側に倒す。電話機１０４では直ちにインターネット電話通話を一旦終了し既存電話回線１０３からの着信に応答することとしたためである。
ステップＳ２０７において、インターネット電話通話を保留にする。
ステップＳ２０８において、既存電話回線１０３の既存電話着信に応答し通話を開始する。
【００４８】
ステップＳ２０９において、既存電話回線１０３の既存電話通話が終了したか否かを判断する。
ステップＳ２１０において、制御部１１１では、既存電話回線１０３の既存電話通話が終了したら、リレー１０５をメイクｍ側に倒す。
ステップＳ２１１において、インターネット電話通話を再開し、処理を終了する。
【００４９】
したがって、本発明によれば、インターネット電話通話を一旦保留して既存電話通話に応答することにより、インターネット電話と既存電話とのキャッチホンサービスと同様の通話切替え機能を提供することが可能になる。
図８はインターネット電話通話中に既存電話通話の着信があった場合の制御部１１１における動作の他の例を説明するフローチャートである。
【００５０】
ステップＳ２２１において、インターネット電話通話中に電話回線インタフェース１０７に既存電話通話が着信する。
ステップＳ２２２において、制御部１１１の着信検出部１２２で電話回線インタフェース１０７の着信を検出する。
ステップＳ２２３において、制御部１１１では電話回線インタフェース１０７を制御して一時応答して既存電話回線１０３から発信者番号データを受信し、音声信号処理部１０９で受信データを解析し、発信者番号データを認識する。
【００５１】
ステップＳ２２４において、音声信号処理部１０９で認識した発信番号データを記憶部１１０に保存し、一時応答した既存電話回線１０３を開放する。
ステップＳ２２５において、制御部１１１では既存電話回線１０３から着信があったことを電話機１０４のインターネット電話通話に割り込んで着信音の送信を行う。
ステップＳ２２６において、電話機１０４に割り込み着信音を送信するのと同時に、電話機インタフェース１０８から電話機１０４に記憶部１１０に保存した発信者番号データを送信して電話機１０４に表示させる。
【００５２】
以下ステップＳ２２７〜ステップＳ２３４までは、図７のステップＳ２０４〜ステップＳ２１１までの内容と同様であるので、説明を省略する。
したがって、本発明によれば、電話機１０４では、インターネット電話通話をしながら既存電話の発信者番号を知ることができ、フッキング信号によりインターネット電話通話から既存電話通話に切替えるべきか否かの判断材料とすることができる。
【００５３】
図９はインターネット電話通話中に既存電話通話の着信があった場合の制御部１１１における動作の別の例を説明するフローチャートである。
本図に示すように、ステップＳ２３１〜ステップＳ２４１までは、図７のステップＳ２０１〜ステップＳ２１１までの内容と同様であるので、説明を省略する。
【００５４】
ステップＳ２４２において、ステップＳ２３９で既存電話通話が終了していない場合、制御部１１１では電話機１０４から電話機インタフェース１０８へのフッキング信号の送信を検出したか否かを判断する。検出しない場合、ステップＳ２３９に戻る。
ステップＳ２４３において、フッキング信号の送信を検出した場合、制御部１１１ではリレー１０５をメイクｍ側に倒す。電話機１０４では直ちに既存電話通話を一旦終了し、インターネット電話回線１０２からの着信に応答することとしたためである。
【００５５】
ステップＳ２４４において、既存電話通話を保留にする。
ステップＳ２４５において、インターネット電話回線１０２のインターネット電話着信に応答し通話を開始し、ステップＳ２３４に戻る。
したがって、本発明によれば、フッキング信号により、インターネット電話通話保留かつ既存電話通話中の状態と、逆に既存電話通話保留かつインターネット電話通話中の状態とをトグルで切り替えることが可能となり、３者通話の切替え機能が向上する。
【００５６】
図７〜図９までの以上の説明では、フッキング信号により、インターネット電話通話と既存電話通話の切替を行ったが、フッキング信号に代わり、ダイヤルインパルス信号、ＰＢ（プッシュボタン）信号によるダイヤル信号を通話の切り替え信号として用いてもよい。
これにより、電話機の簡単な操作により切替が可能になる。
【００５７】
【発明の効果】
以上説明したように、本発明によれば、電話機にリレーを接続し、リレーのメイク側をインターネット電話回線に接続し、リレーのブレーク側を既存電話回線に接続し、リレーをメイク側に倒した状態で、発信・着信時のダイヤル信号を解析して、電話機とインターネット電話回線の間の発信・着信と、電話機と既存電話回線との間の発信・着信を識別し、電話機とインターネット電話回線の間の発信・着信と識別した場合、リレーをメイク側に倒した状態で、電話機とインターネット電話回線の通話を制御し、電話機と既存電話回線との間の発信・着信と識別した場合、リレーをドレーン側に倒した状態で、電話機と既存電話回線との間の通話を制御するようにしたので、インターネット電話と既存の電話とが同時に使用可能な場合、インターネット電話の長所を生かしてインターネット電話を優先してかけることが可能になる。
【図面の簡単な説明】
【図１】本発明に係るインターネット電話アダプタの概略構成を示す図である。
【図２】第１の使い分け例で、インターネット電話アダプタ１０１の電力喪失時におけるリレー１０５の切替動作を説明する図である。
【図３】第２の使い分け例で、インターネット電話通話時のリレー１０５の動作を説明する図である。
【図４】第３の使い分け例で、既存電話通話時のリレー１０５の動作を説明する図である。
【図５】第４の使い分け例で、既存電話通話中にインターネット電話回線１０２からの着信があった場合の制御部１１１の動作を説明する図である。
【図６】第５の使い分け例で、インターネット電話通話中に既存電話回線１０３からの着信があった場合の制御部１１１の動作を説明する図である。
【図７】インターネット電話通話中に既存電話通話の着信があった場合の制御部１１１の動作例を説明するフローチャートである。
【図８】インターネット電話通話中に既存電話通話の着信があった場合の制御部１１１における動作の他の例を説明するフローチャートである。
【図９】インターネット電話通話中に既存電話通話の着信があった場合の制御部１１１における動作の別の例を説明するフローチャートである。
【符号の説明】
１０１…インターネット電話アダプタ
１０２…インターネット電話回線
１０３…既存電話回線
１０４…電話機
１０５…リレー
１０６…インターネット電話回線インタフェース
１０７…電話回線インタフェース
１０８…電話機インタフェース
１０９…音声信号処理部
１１０…記憶部
１１１…制御部
１２１…電力検出部
１２２…着信検出部
ｍ…メイク
ｂ…ブレーク
【図１】
2004350063.tif 000003
【図２】
2004350063.tif 000004
【図３】
2004350063.tif 000005
【図４】
2004350063.tif 000006
【図５】
2004350063.tif 000007
【図６】
2004350063.tif 000008
【図７】
2004350063.tif 000009
【図８】
2004350063.tif 000010
【図９】
2004350063.tif 000011